(57)【要約】【課題】  スタンドの取付作業を迅速容易に行うこと。【解決手段】  スタンド５のキャビネット載置面に一対のフック部７が線対称形に一体突設され、キャビネット４の底板４ａに一対の取付孔８が線対称形に貫設され、各取付孔８の孔本体８Ａの一方側縁１１と各縦溝８Ｂの一方側縁１４との間に段差が形成され、その段差に対応して孔本体８Ａの一方側縁１１と縦溝８Ｂの一方側縁１４との間に傾斜ガイド面１５が形成され、各孔本体８Ａの一方側縁１１とそれに対向する他方側縁１６との間の横幅が２倍の段差及びフック部７の横幅の和と同一またはわずかに大きく設定され、各孔本体８Ａの縦幅が段差及びフック部７の縦幅の和と同一またはわずかに大きく設定されており、各フック部７を各孔本体８Ａに挿通し矢印ａ方向に移動させて、各フック部７の縦桁７ａを傾斜ガイド面１５に沿って各取付孔８の縦溝８Ｂに嵌入させる。【選択図】        図４
2010250202.tif 000002
【特許請求の範囲】
【請求項１】
薄型表示部と該薄型表示部の下端部に止着した連結金具とが合成樹脂製キャビネット内
に収納され、該キャビネットを支持するためのスタンドが、合成樹脂製スタンドカバーと
、該スタンドカバー内に固着されたスタンド芯材とを有し、前記スタンドカバーのキャビ
ネット載置面に該キャビネット載置面の中央を通る中心線を折れ目として一対のフック部
が線対称形に一体突設されると共に、前記キャビネットの底板に該底板の中央を通る中心
線を折れ目として一対の取付孔が線対称形に貫設されており、前記各フック部が、中心線
と平行して延びる縦桁と、該縦桁の端縁から直角に折れ曲がって延びる横桁と、その縦桁
及び横桁の上端から直角に折れ曲がってキャビネット載置面と平行する抜止板とからなり
、前記各取付孔が、各フック部を挿通するための孔本体と、該孔本体から中心線に沿って
延びる縦溝とからなり、スタンドを把持して各フック部を各取付孔の孔本体に挿通し、該
スタンドを中心線に沿って移動させることにより、各フック部の縦桁を各取付孔の縦溝に
嵌入させてスタンドをキャビネットに仮固定し、スタンド芯材及びスタンドカバーとキャ
ビネットの底板とを貫通して前記連結金具のねじ孔にビスをねじ込むことにより、スタン
ドをキャビネットに本固定するようにした薄型表示装置において、各取付孔の孔本体の中
心線に近い一方側縁をその中心線に接近させることにより、その各孔本体の一方側縁と各
縦溝の中心線に近い一方側縁との間に段差が形成され、その段差に対応して孔本体の一方
側縁と縦溝の一方側縁との間に所定の傾斜角度の傾斜ガイド面が形成され、各孔本体の一
方側縁とそれに対向する他方側縁との間の横幅が２倍の段差及びフック部の横幅の和と同
一またはわずかに大きく設定され、各孔本体の縦幅が段差及びフック部の縦幅の和と同一
またはわずかに大きく設定されていることを特徴とする薄型表示装置。
【発明の詳細な説明】
【技術分野】
【０００１】
本発明は、例えば液晶テレビなどの薄型表示装置に関し、特に、スタンドの取付作業を
迅速容易に行うことができるようにしたものである。
【背景技術】
【０００２】
薄型表示装置の一例として図６の縦断面図に示すものがあり、これは液晶テレビであっ
て、液晶モジュ−ル（薄型表示部）１と該液晶モジュ−ル１の下端部にビス２止めした連
結金具３とがフロントキャビネット４Ａ及びリアキャビネット４Ｂからなる合成樹脂製キ
ャビネット４内に収納され、該キャビネット４を支持するためのスタンド５が、合成樹脂
製スタンドカバー５Ａと、該スタンドカバー５Ａ内に固着されたスタンド芯材５Ｂとを有
し、スタンドカバー５Ａの起立部５ａのキャビネット載置面６に一対のフック部７が一体
突設され、リアキャビネット４Ｂの底板４ａに一対の取付孔８が貫設され、スタンド５を
キャビネット４に固定するためのビス１０が設けられている。
【０００３】
従来、前記スタンド５の取付構造として図７〜図１０に示すものがあり、図７は同分解
斜視図、図８は同フック部７の斜視図、図９は同取付孔８の斜視図、図１０（ａ）（ｂ）
は同スタンド取付手順の説明図である。
【０００４】
図７及び図８に示すように、前記両フック部７は、キャビネット載置面６の中央を前後
方向ａ，ｂに沿って通る中心線Ｏ１を折れ目として線対称形に配置されており、中心線Ｏ
１と平行して延びる縦桁７ａ及び該縦桁７ａの端縁から直角に折れ曲がって延びる横桁７
ｂと、その縦桁７ａ及び横桁７ｂの上端から直角に折れ曲がってキャビネット載置面６と
平行する抜止板７ｃとからなっている。
【０００５】
図７及び図９に示すように、前記両取付孔８は、キャビネット４の底板４ａに該底板４
ａの中央を前後方向ａ，ｂに沿って通る中心線Ｏ２を折れ目として線対称形に貫設されて
おり、各フック部７を挿通するための四角形状の孔本体８Ａと、該孔本体８Ａの中心線Ｏ
２に近い一方側縁１１に沿ってその孔本体８Ａから中心線Ｏ２に沿って矢印ａ方向に延び
る縦溝８Ｂとからなっており、孔本体８Ａがフック部７よりもわずかに大きく設定されて
いる。なお、図７中、１２，１３はビス挿通孔である。
【０００６】
スタンド５の取付手順を説明すると、図７に示すように、液晶モジュ−ル１を下向きに
してキャビネット４を水平にした状態で、スタンド５を把持し、該スタンド５の起立部５
ａをキャビネット４の底板４ａに接近させる。この場合、各フック部７及び各取付孔８が
スタンド５の裏に隠されて目視することができないので、図１０（ａ）に示すように、各
フック部７を底板４ａに当接させた状態でスタンド５を前後左右方向ａ〜ｄに動かして各
取付孔８を探し、該各フック部７が各取付孔８の孔本体８Ａに引っ掛かったときに、スタ
ンド５の動きを停止し、その各フック部７を各孔本体８Ａに嵌入させる。続いて、図１０
（ｂ）に示すように、スタンド５を矢印ａ方向に移動させて、各フック部７の縦桁７ａを
各取付孔８の縦溝８Ｂに嵌入させ、抜止板７ｃを底板４ａに係合させてスタンド５をキャ
ビネット４に仮固定する。その後、スタンドカバー５Ａ内から各ビス挿通孔１２，１３を
通って連結金具３のねじ孔９にビス１０をねじ込んで、スタンド５をキャビネット４に本
固定する（図６参照）。なお、関連する技術として特許文献１に記載したものがある。
【先行技術文献】
【特許文献】
【０００７】
【特許文献１】特開２００８−２２３９９９号公報
【発明の概要】
【発明が解決しようとする課題】
【０００８】
上記従来の構成では、各フック部７をキャビネット４の底板４ａに当接させた状態で該
スタンド５を前後左右方向ａ〜ｄに動かして各取付孔８を探す際に、その各フック部７及
び各取付孔８がスタンド５の裏に隠れて目視できない状態であり、しかも、各取付孔８の
孔本体８Ａが各フック部７と同程度の大きさで小さいから、その孔本体８Ａを探すのに手
間がかかって面倒であり、スタンド５の取付作業がユーザにとって負担になっている。
【０００９】
そこで、図９に仮想線Ｍで示すように、各孔本体８Ａを大きくすることが考えられる。
これによれば、各フック部７を各孔本体８Ａに容易に嵌入させることができるが、その嵌
入作業だけでは、各縦桁７ａが各縦溝８Ｂに位置決めされていないから、更に、スタンド
５を矢印ｃ，ｄ方向に動かして縦溝８Ｂを探す必要があり、その作業に手間がかかって面
倒であり、ユーザに負担がかかる。
【００１０】
本発明は、上記従来の欠点に鑑み、スタンドの取付作業を迅速容易に行うことができる
ようにした薄型表示装置を提供することを目的としている。
【課題を解決するための手段】
【００１１】
上記目的を達成するため、請求項１に記載の発明は、薄型表示部と該薄型表示部の下端
部に止着した連結金具とが合成樹脂製キャビネット内に収納され、該キャビネットを支持
するためのスタンドが、合成樹脂製スタンドカバーと、該スタンドカバー内に固着された
スタンド芯材とを有し、前記スタンドカバーのキャビネット載置面に該キャビネット載置
面の中央を通る中心線を折れ目として一対のフック部が線対称形に一体突設されると共に
、前記キャビネットの底板に該底板の中央を通る中心線を折れ目として一対の取付孔が線
対称形に貫設されており、前記各フック部が、中心線と平行して延びる縦桁と、該縦桁の
端縁から直角に折れ曲がって延びる横桁と、その縦桁及び横桁の上端から直角に折れ曲が
ってキャビネット載置面と平行する抜止板とからなり、前記各取付孔が、各フック部を挿
通するための孔本体と、該孔本体から中心線に沿って延びる縦溝とからなり、スタンドを
把持して各フック部を各取付孔の孔本体に挿通し、該スタンドを中心線に沿って移動させ
ることにより、各フック部の縦桁を各取付孔の縦溝に嵌入させてスタンドをキャビネット
に仮固定し、スタンド芯材及びスタンドカバーとキャビネットの底板とを貫通して前記連
結金具のねじ孔にビスをねじ込むことにより、スタンドをキャビネットに本固定するよう
にした薄型表示装置において、各取付孔の孔本体の中心線に近い一方側縁をその中心線に
接近させることにより、その各孔本体の一方側縁と各縦溝の中心線に近い一方側縁との間
に段差が形成され、その段差に対応して孔本体の一方側縁と縦溝の一方側縁との間に所定
の傾斜角度の傾斜ガイド面が形成され、各孔本体の一方側縁とそれに対向する他方側縁と
の間の横幅が２倍の段差及びフック部の横幅の和と同一またはわずかに大きく設定され、
各孔本体の縦幅が段差及びフック部の縦幅の和と同一またはわずかに大きく設定されてい
る。
【発明の効果】
【００１２】
請求項１に記載の発明によれば、各フック部をキャビネットの底板に当接させた状態で
スタンドを前後左右に動かして各取付孔を探す際に、その各フック部及び各取付孔がスタ
ンドの裏に隠れて目視できない状態にあるが、各取付孔の孔本体が各フック部に比べてか
なり大きく設定されているから、スタンドを前後左右にわずかに動かすだけで、各フック
部が各取付孔の孔本体に直ぐに引っ掛かって該各孔本体に各フック部を容易に嵌入させる
ことができ、その状態からスタンドを中心線に沿って移動させるだけで、傾斜ガイド面に
沿って各フック部の縦桁を各取付孔の縦溝に自動的に嵌入させ、スタンドの仮固定作業を
迅速に行うことができ、ユーザの負担を従来に比べて大幅に軽減させることができる。
【図面の簡単な説明】
【００１３】
【図１】本発明の実施の一形態である薄型表示装置を示す分解斜視図である。
【図２】同取付孔の斜視図である。
【図３】（ａ）は同スタンドの要部の平面図、（ｂ）は同キャビネットの要部の底面図である。
【図４】（ａ）（ｂ）は同スタンド取付手順の一例を示す説明図である。
【図５】同スタンド取付手順の他の例を示す説明図である。
【図６】薄型表示装置の一例を示す縦断面図である。
【図７】従来例を示す分解斜視図である。
【図８】同フック部の斜視図である。
【図９】同取付孔の斜視図である。
【図１０】（ａ）（ｂ）は同スタンド取付手順の説明図である。
【発明を実施するための形態】
【００１４】
図１〜図３に示すように、各取付孔８の孔本体８Ａの一方側縁１１を中心線Ｏ２に接近
させることにより、該各孔本体８Ａの一方側縁１１と各縦溝８Ｂの中心線Ｏ２に近い一方
側縁１４との間に段差Ｓが形成され、その段差Ｓに対応して孔本体８Ａの一方側縁１１と
縦溝８Ｂの一方側縁１４との間に所定の傾斜角度α（この実施の形態では４５°）の傾斜
ガイド面１５が形成され、各孔本体８Ａの一方側縁１１とそれに対向する他方側縁１６と
の間の横幅ｔ１が２倍の段差Ｓ及びフック部７の横幅ｔ２の和（２Ｓ＋ｔ２）と同一また
はわずかに大きく設定され（ｔ１≧２Ｓ＋ｔ２）、各孔本体８Ａの縦幅ｈ１が段差Ｓ及び
フック部７の縦幅ｈ２の和（Ｓ＋ｈ２）と同一またはわずかに大きく設定されている（ｈ
１≧Ｓ＋ｈ２）。上記以外の構成は図６〜図１０に示す構成とほぼ同じであるから、同一
部分に同一符号を付してその説明を省略する。
【００１５】
スタンド５の取付手順を説明すると、図１に示すように、液晶モジュ−ル１を下向きに
してキャビネット４を水平にした状態で、スタンド５を把持し、該スタンド５の起立部５
ａをキャビネット４の底板４ａに接近させる。次に、図４（ａ）に示すように、各フック
部７を底板４ａに当接させた状態でスタンド５を前後左右方向ａ〜ｄにわずかに動かすだ
けで、該各フック部７が各取付孔８の孔本体８Ａに引っ掛かるので、その各フック部７を
各孔本体８Ａに嵌入させる。続いて、図４（ｂ）に示すように、スタンド５を矢印ａ方向
に移動させることにより、各フック部７の縦桁７ａを傾斜ガイド面１５に沿って各取付孔
８の縦溝８Ｂに嵌入させ、抜止板７ｃを底板４ａに係合させてスタンド５をキャビネット
４に仮固定する。その後、スタンドカバー５Ａ内から各ビス挿通孔１２，１３を通って連
結金具３のねじ孔９にビス１０をねじ込んで、スタンド５をキャビネット４に本固定する
（図６参照）。
【００１６】
上記取付手順では、図４（ａ）に示すように、フック部７を孔本体８Ａ内の右側に嵌入
させた場合を例にあげて説明したが、図５に示すように、フック部７を孔本体８Ａ内の左
側に嵌入させた場合でも、スタンド５を矢印ａ方向に移動させることにより、各フック部
７の縦桁７ａが傾斜ガイド面１５に沿って各取付孔８の縦溝８Ｂに嵌入されるようになっ
ており〔図４（ｂ）参照〕、要するに、各フック部７を各孔本体８Ａ内のどの位置に嵌入
させても、傾斜ガイド面１５により各フック部７の縦桁７ａが各取付孔８の縦溝８Ｂに嵌
入される。
【００１７】
上記構成によれば、各フック部７をキャビネット４の底板４ａに当接させた状態でスタ
ンド５を前後左右方向ａ〜ｄに動かして各取付孔８を探す際に、その各フック部７及び各
取付孔８がスタンド５の裏に隠れて目視できない状態にあるが、各取付孔８の孔本体８Ａ
が各フック部７に比べてかなり大きく設定されているから、スタンド５を前後左右方向ａ
〜ｄにわずかに動かすだけで、各フック部７が各取付孔８の孔本体８Ａに直ぐに引っ掛か
って該各孔本体８Ａに各フック部７を容易に嵌入させることができ、その状態からスタン
ド５を矢印ａ方向に移動させるだけで、傾斜ガイド面１５に沿って各フック部７の縦桁７
ａを各取付孔８の縦溝８Ｂに自動的に嵌入させ、スタンド５の仮固定作業を迅速に行うこ
とができ、ユーザの負担を従来に比べて大幅に軽減させることができる。
【産業上の利用可能性】
【００１８】
上記の実施の形態では、液晶テレビを例にあげて説明したが、これに限定される分けで
はなく、例えば液晶モニターなどの各種薄型表示装置にも適用される。
【符号の説明】
【００１９】
１        液晶モジュ−ル（薄型表示部）
３        連結金具
４        キャビネット
４ａ      キャビネットの底板
５        スタンド
５Ａ      スタンドカバー
５Ｂ      スタンド芯材
６        キャビネット載置面
７        フック部
７ａ      フック部の縦桁
７ｂ      フック部の横桁
７ｃ      フック部の抜止板
８        取付孔
８Ａ      取付孔の孔本体
８Ｂ      取付孔の縦溝
１０      ビス
１１      孔本体の一方側縁
１４      縦溝の一方側縁
１５      傾斜ガイド面
１６      孔本体の他方側縁
ｔ１      孔本体８の横幅
ｔ２      フック部の横幅
ｈ１      孔本体の縦幅
ｈ２      フック部の縦幅
Ｏ１      フック部間の中心線
Ｏ２      取付孔間の中心線
【図１】
2010250202.tif 000003
【図２】
2010250202.tif 000004
【図３】
2010250202.tif 000005
【図４】
2010250202.tif 000006
【図５】
2010250202.tif 000007
【図６】
2010250202.tif 000008
【図７】
2010250202.tif 000009
【図８】
2010250202.tif 000010
【図９】
2010250202.tif 000011
【図１０】
2010250202.tif 000012